【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
印刷コンテンツに基づく画像を印刷装置に印刷媒体へ印刷させる印刷制御装置であって、
印刷コンテンツの所在を特定するための所在情報を取得する取得手段と、
前記印刷コンテンツに基づく画像を印刷させるための、印刷媒体の種類を判別する判別手段と、
前記取得手段により取得された前記所在情報と、前記判別手段により判別された印刷媒体の種類を特定するための媒体情報とに基づき、前記判別手段で判別された印刷媒体の種類に対応した印刷コンテンツを外部装置に要求する要求手段と、
前記要求手段による要求に応じて前記外部装置から送信された、前記判別手段により判別された印刷媒体の種類に対応した印刷コンテンツに基づく画像を、印刷装置に印刷媒体へ印刷させる印刷制御手段と、
を有することを特徴とする印刷制御装置。
【請求項２】
前記要求手段は、前記取得手段により取得された前記所在情報と、前記判別手段で判別された印刷媒体の種類を特定するための媒体情報とを含むＵＲＩに基づき、当該印刷媒体の種類に対応した印刷コンテンツを外部装置に要求することを特徴とする請求項１に記載の印刷制御装置。
【請求項３】
ユーザの指示に応じて、印刷媒体の種類を選択する選択手段を有し、
前記判別手段は、前記選択手段により選択された印刷媒体の種類を、印刷コンテンツを印刷媒体へ印刷させるための印刷媒体の種類として判別することを特徴とする請求項１または２に記載の印刷制御装置。
【請求項４】
前記印刷装置は、当該印刷装置が有する印刷媒体の種類を判別し、
前記判別手段は、前記印刷装置により判別された印刷媒体の種類を、印刷コンテンツに基づく画像を当該印刷装置に印刷媒体へ印刷させるための、印刷媒体の種類として判別することを特徴とする請求項１または２に記載の印刷制御装置。
【請求項５】
前記印刷媒体の種類は、印刷媒体の大きさであることを特徴とする請求項１乃至請求項４のいずれか１項に記載の印刷装置。
【請求項６】
前記印刷媒体は、ディスクメディアであり、
前記判別手段は、印刷コンテンツに基づく画像を印刷させるためのディスクメディアの形状を判別することを特徴とする請求項１乃至請求項４のいずれか１項に記載の印刷装置。
【請求項７】
印刷コンテンツに基づく画像を印刷装置に印刷媒体へ印刷させる第１の装置と、印刷コンテンツを保存する第２の装置とがネットワークを介して接続された印刷制御システムであって、
前記第１の装置は、
印刷コンテンツの所在を特定するための所在情報を取得する取得手段と、
前記印刷コンテンツに基づく画像を印刷媒体へ印刷させるための、印刷媒体の種類を判別する判別手段と、
前記取得手段により取得された前記所在情報と、前記判別手段により判別された印刷媒体の種類を特定するための媒体情報とに基づき、前記判別手段で判別された印刷媒体の種類に対応した印刷コンテンツを前記第２の装置に要求する要求手段と、を有し、
前記第２の装置は、
前記要求手段による要求に応じて、前記媒体情報に基づき、前記判別手段で判別された印刷媒体の種類に対応した印刷コンテンツを、前記第１の装置に送信する送信手段を有し、
前記第１の装置は、前記送信手段により前記第２の装置から送信された印刷コンテンツに基づく画像を、印刷装置に印刷媒体へ印刷させることを特徴とする印刷制御システム。
【請求項８】
前記第２の装置は、
印刷媒体の複数の種類のそれぞれに対応した複数の印刷コンテンツを保存する保存手段を有し、
前記送信手段は、前記媒体情報に基づき、前記保存手段に保存されている複数の印刷コンテンツのうちの、前記判別手段で判別された印刷媒体の種類に対応した印刷コンテンツを特定して、特定された当該印刷コンテンツを前記第１の装置に送信することを特徴とする請求項７に記載の印刷制御システム。
【請求項９】
前記第２の装置は、
前記媒体情報に基づき、前記判別手段で判別された印刷媒体の種類を特定して、特定された当該印刷媒体の種類に対応した印刷コンテンツを生成する生成手段を有し、
前記送信手段は、前記生成手段により生成された印刷コンテンツを、前記第１の装置に送信することを特徴とする請求項７に記載の印刷制御システム。
【請求項１０】
印刷コンテンツに基づく画像を印刷装置に印刷媒体へ印刷させる印刷制御装置の制御方法であって、
印刷コンテンツの所在を特定するための所在情報を取得する取得工程と、
前記印刷コンテンツに基づく画像を印刷させるための、印刷媒体の種類を判別する判別工程と、
前記取得工程において取得された前記所在情報と、前記判別工程において判別された印刷媒体の種類を特定するための媒体情報とに基づき、前記判別工程において判別された印刷媒体の種類に対応した印刷コンテンツを当該外部装置に要求する要求工程と、
前記要求工程における要求に応じて前記外部装置から送信された前記判別工程において判別された印刷媒体の種類に対応した印刷コンテンツに基づく画像を、印刷装置に印刷媒体へ印刷させる印刷制御工程と、
を有することを特徴とする制御方法。
【請求項１１】
請求項１０に記載の制御方法をコンピュータに実行させることを特徴とするプログラム。
【手続補正２】
【補正対象書類名】明細書
【補正対象項目名】発明の名称
【補正方法】変更
【補正の内容】
【発明の名称】印刷制御装置、印刷制御システム、印刷制御装置の制御方法、およびプログラム
【手続補正３】
【補正対象書類名】明細書
【補正対象項目名】０００１
【補正方法】変更
【補正の内容】
【０００１】
本発明は、印刷コンテンツに基づく画像を印刷装置に印刷媒体へ印刷させる印刷制御装置に関する。
【手続補正４】
【補正対象書類名】明細書
【補正対象項目名】００１５
【補正方法】変更
【補正の内容】
【００１５】
本発明は以上の課題を鑑みてなされたものであり、印刷媒体の種類に対応した印刷コンテンツに基づく画像を、適切に印刷させることができる印刷制御装置、印刷制御システム、印刷制御装置の制御方法、およびプログラムを提供することを目的とする。
【手続補正５】
【補正対象書類名】明細書
【補正対象項目名】００１６
【補正方法】変更
【補正の内容】
【００１６】
本発明は、印刷コンテンツに基づく画像を印刷装置に印刷媒体へ印刷させる印刷制御装置であって、印刷コンテンツの所在を特定するための所在情報を取得する取得手段と、前記印刷コンテンツに基づく画像を印刷させるための、印刷媒体の種類を判別する判別手段と、前記取得手段により取得された前記所在情報と、前記判別手段により判別された印刷媒体の種類を特定するための媒体情報とに基づき、前記判別手段で判別された印刷媒体の種類に対応した印刷コンテンツを外部装置に要求する要求手段と、前記要求手段による要求に応じて前記外部装置から送信された、前記判別手段により判別された印刷媒体の種類に対応した印刷コンテンツに基づく画像を、印刷装置に印刷媒体へ印刷させる印刷制御手段と、を有することを特徴とする。
【手続補正６】
【補正対象書類名】明細書
【補正対象項目名】００１７
【補正方法】変更
【補正の内容】
【００１７】
本発明によれば、印刷媒体の種類に対応した印刷コンテンツに基づく画像を、適切に印刷させることができる。
【手続補正７】
【補正対象書類名】明細書
【補正対象項目名】００１８
【補正方法】削除
【補正の内容】